(57)【要約】      （修正有）【課題】光エネルギーパネルの面積の最大化を維持でき、数値を読み取りやすい光エネルギー式デジタル計器を提供する。【解決手段】光エネルギー式デジタル計器は底板１と、底板の片側に固定して接続された筐体２と、筐体内に取り付けられた回路基板、光エネルギーパネル４、ディスプレイ５とを含み、光エネルギーパネル及びディスプレイはいずれも回路基板に電気的に接続され、ディスプレイ及び光エネルギーパネルは筐体の同一の側面又は底板に配置され、筐体の片側又は底板に光エネルギーパネルを嵌設する第１窓部６が開設され、光エネルギーパネルの中央の位置にディスプレイを嵌設する第２窓部７が開設され、光エネルギーパネルはディスプレイを取り囲み、メッキ層と、ガラス層とを含む。【選択図】図１
0003228077.tif 000002
【実用新案登録請求の範囲】
【請求項１】
底板（１）と、前記底板（１）の片側に固定して接続された筐体（２）と、前記筐体（２）内に取り付けられた回路基板（３）、光エネルギーパネル（４）、ディスプレイ（５）とを含み、前記光エネルギーパネル（４）及び前記ディスプレイ（５）はいずれも前記回路基板（３）に電気的に接続される光エネルギー式デジタル計器において、前記ディスプレイ（５）及び前記光エネルギーパネル（４）は前記筐体（２）の同一の側面又は前記底板（１）に配置され、前記筐体（２）の片側又は前記底板（１）に前記光エネルギーパネル（４）を嵌設する第１窓部（６）が開設され、前記光エネルギーパネル（４）の中央の位置に前記ディスプレイ（５）を嵌設する第２窓部（７）が開設され、前記光エネルギーパネル（４）は前記ディスプレイ（５）を取り囲み、前記光エネルギーパネル（４）はメッキ層と、ガラス層とを含むことを特徴とする光エネルギー式デジタル計器。
【請求項２】
前記第２窓部（７）は前記メッキ層に開設されることを特徴とする請求項１に記載の光エネルギー式デジタル計器。
【請求項３】
前記第２窓部（７）は前記メッキ層及び前記ガラス層に開設されることを特徴とする請求項１に記載の光エネルギー式デジタル計器。
【請求項４】
前記第１窓部（６）に前記第１窓部（６）を遮蔽する透明な保護板（１５）が設けられることを特徴とする請求項１に記載の光エネルギー式デジタル計器。
【請求項５】
前記第１窓部（６）と前記光エネルギーパネル（４）との間に第１シール部材（１１）が設けられ、前記第２窓部（７）と前記ディスプレイ（５）との間に第２シール部材（１２）が設けられることを特徴とする請求項１に記載の光エネルギー式デジタル計器。
【請求項６】
前記筐体（２）の隅部に前記筐体（２）を前記底板（１）に固定する固定ボルト（９）が螺着され、前記筐体（２）と前記底板（１）との間に防振パッド（１０）が設けられ、前記固定ボルト（９）は前記防振パッド（１０）を貫通し、前記固定ボルト（９）の底部は前記底板（１）の前記筐体（２）と背反する面からはみ出さないことを特徴とする請求項１に記載の光エネルギー式デジタル計器。
【請求項７】
前記筐体（２）の側縁に配線孔（１３）が開設され、前記配線孔（１３）内に配線端子（１４）が設けられることを特徴とする請求項１に記載の光エネルギー式デジタル計器。
【請求項８】
円柱状の筐体（２）を含み、前記筐体（２）内に回路基板（３）と、前記回路基板（３）に電気的に接続された光エネルギーパネル（４）、ディスプレイ（５）とが取り付けられ、前記ディスプレイ（５）及び前記光エネルギーパネル（４）は前記筐体（２）の同一の側面に配置され、前記筐体（２）の片側に前記光エネルギーパネル（４）を嵌設する円形の第１窓部（６）が開設され、前記光エネルギーパネル（４）の中央の位置に前記ディスプレイ（５）を嵌設する第２窓部（７）が開設され、前記光エネルギーパネル（４）は前記ディスプレイ（５）を取り囲み、前記光エネルギーパネル（４）はメッキ層と、ガラス層とを含み、前記筐体（２）から検出用のプローブケーブルが引き出され、前記筐体（２）に、前記プローブケーブルを置くために検出ロッド（１６）が固定して接続されることを特徴とする光エネルギー式デジタル計器。
【請求項９】
前記検出ロッド（１６）は前記筐体（２）に螺着され、前記検出ロッド（１６）は中空であることを特徴とする請求項８に記載の光エネルギー式デジタル計器。
【請求項１０】
前記検出ロッド（１６）は前記筐体（２）にヒンジ接続され、前記検出ロッド（１６）は中空であり、前記検出ロッド（１６）が前記筐体（２）にヒンジ接続された位置に前記プローブケーブルを保護するベローズ（１７）が固定して接続されることを特徴とする請求項８に記載の光エネルギー式デジタル計器。
【考案の詳細な説明】
【技術分野】
【０００１】
本考案は、デジタル計器技術の分野に関し、特に、光エネルギー式デジタル計器に関する。
【背景技術】
【０００２】
光エネルギー技術の発展に伴い、多くの計器では給電のために光エネルギーを利用している。例えば、人々は温度を測定するために一般に電子温度計を使用し、温度計に電子表示装置が入っているため、測定された温度は数値の形式で表示される。電池で給電する電子温度計と比べて、光エネルギーで給電する電子温度計は、電池を使用する必要がないため、環境汚染の軽減に寄与するだけでなく、使用するときは、照射条件が満たされる環境に置くだけで給電されるため、利用しやすく環境に配慮している。
【０００３】
従来、例えば、特許文献１は太陽エネルギー式デジタル計器を開示する。それはハウジングと、ハウジング内に取り付けられた回路基板と、ハウジングの外側に取り付けられたソーラーパネル、ディスプレイとを含み、ソーラーパネル及びディスプレイはいずれも回路基板に電気的に接続され、ソーラーパネル及びディスプレイはハウジングの対向する２つの側面に設けられ、ハウジングに取付けフレームが固定して接続され、取付けフレームはソーラーパネルの側縁に配置され、ソーラーパネルは傾斜してハウジングに設けられ、その傾斜する方向は取付けフレームを向かない。
【０００４】
しかしながら、上記の従来の技術的解決手段には次の欠点がある。上記実用新案において、ソーラーパネル及びディスプレイはそれぞれ対向する２つの側面に配置されるが、使用するときは、一般に給電のためにソーラーパネルが位置する片側を光源に向き、数値を読み取るときは計器を反転させる必要があり、又は太陽エネルギー式デジタル計器を手で操作できず固定の機器に取り付ける必要がある場合は、ディスプレイが遮蔽されて不都合が生じる。一般に、従来技術による太陽エネルギー式デジタル計器に存在する上記の問題は、光エネルギーでエネルギーを供給する他のデジタル計器にも同様の問題があり、数値を読み取りやすいように構成される場合は、光エネルギーパネルの面積の最大化が維持しにくい。
【先行技術文献】
【特許文献】
【０００５】
【特許文献１】中国実用新案公告第ＣＮ２０８８７２３２５Ｕ号
【考案の概要】
【考案が解決しようとする課題】
【０００６】
本考案は、従来技術の欠点に対して、光エネルギーパネルの面積の最大化を維持でき、数値を読み取りやすいように構成される光エネルギー式デジタル計器を提供することを目的とする。
【課題を解決するための手段】
【０００７】
本考案の上記の目的は、以下の技術的解決手段により達成される。
光エネルギー式デジタル計器であって、底板と、前記底板の片側に固定して接続された筐体と、前記筐体内に取り付けられた回路基板、光エネルギーパネル、ディスプレイとを含み、前記光エネルギーパネル及び前記ディスプレイはいずれも前記回路基板に電気的に接続され、前記ディスプレイ及び前記光エネルギーパネルは前記筐体の同一の側面又は前記底板に配置され、前記筐体の片側又は前記底板に前記光エネルギーパネルを嵌設する第１窓部が開設され、前記光エネルギーパネルの中央の位置に前記ディスプレイを嵌設する第２窓部が開設され、前記光エネルギーパネルは前記ディスプレイを取り囲み、前記光エネルギーパネルはメッキ層と、ガラス層とを含む。
【０００８】
上記の技術的解決手段を採用すると、使用するときは、光エネルギーパネルは常に光源の方を向くため、光の照射が十分であり、ディスプレイ上のデータが明瞭に見えるため読み取りやすく、またディスプレイは光エネルギーパネルの中央の位置に配置され、光エネルギーパネルによって取り囲まれるため、光エネルギーパネルには光源の照射を受けるのに十分な面積が保証され、光エネルギーパネルの受光面積の最大化が維持される。筐体には光エネルギーパネルを置くために第１窓部を１つ開設すればよいため、生産しやすいだけでなく、大幅なコスト節約につながる。ディスプレイは光エネルギーパネルの中央の位置に配置され、ユーザーはこれを最初に見てしまうため、数値を読み取りやすくもなる。又は、第１窓部は底板に配置され、光エネルギーパネルの受光面積の最大化が維持されることを前提に、計器は取り付けるとき、取付け対象位置の内壁に嵌まり、取付け対象部位からはみ出さないため、スペースの節約を実現する。
【０００９】
本考案の１つの好ましい例において、さらに、前記第２窓部は前記メッキ層に開設されるように構成される。
【００１０】
上記の技術的解決手段を採用すると、第２窓部はメッキ層だけに開設されるためガラス層の完全性が保たれ、ユーザーは光エネルギーパネルのガラス層越しに、液晶表示される数値を見ることができる。
【００１１】
本考案の１つの好ましい例において、さらに、前記第２窓部は前記メッキ層及び前記ガラス層に開設されるように構成される。
【００１２】
上記の技術的解決手段を採用すると、メッキ層及びガラス層はいずれも第２窓部が開設されるため、ディスプレイが取り付けやすくなる。
【００１３】
本考案の１つの好ましい例において、さらに、前記第１窓部に、前記第１窓部を遮蔽する透明な保護板が設けられるように構成される。
【００１４】
上記の技術的解決手段を採用すると、透明な保護板はディスプレイ及び光エネルギーパネルを保護するとともに、光透過率を維持する。
【００１５】
本考案の１つの好ましい例において、さらに、前記第１窓部と前記光エネルギーパネルとの間に第１シール部材が設けられるように構成される。
【００１６】
上記の技術的解決手段を採用すると、第１シール部材により、第１窓部と光エネルギーパネルのシール性が向上する。
【００１７】
本考案の１つの好ましい例において、さらに、前記第２窓部と前記ディスプレイとの間に第２シール部材が設けられるように構成される。
【００１８】
上記の技術的解決手段を採用すると、第２シール部材により、第２窓部とディスプレイのシール性が向上する。
【００１９】
本考案の１つの好ましい例において、さらに、前記筐体の隅部に、前記筐体を前記底板に固定する固定ボルトが螺着されるように構成される。
【００２０】
上記の技術的解決手段を採用すると、固定ボルトによって筐体と底板を接続させることにより、筐体が着脱しやすくなり、後続の点検・保守にも有利である。
【００２１】
本考案の１つの好ましい例において、さらに、前記筐体と前記底板との間に防振パッドが設けられ、前記固定ボルトは前記防振パッドを貫通するように構成される。
【００２２】
上記の技術的解決手段を採用すると、防振パッドは筐体と底板に生じる振動を緩衝するために用いられ、固定ボルトは防振パッドを貫通するため、緩みにくく、筐体と底板がより安定的に接続される。
【００２３】
本考案の１つの好ましい例において、さらに、前記固定ボルトの底部は前記底板の前記筐体と背反する面からはみ出さないように構成される。
【００２４】
上記の技術的解決手段を採用すると、底板を取り付けるとき、固定ボルトに影響されないため、作業員は光エネルギー式デジタル計器を固定しやすい。
【００２５】
本考案の１つの好ましい例において、さらに、前記筐体の側縁に配線孔が開設され、前記配線孔内に配線端子が設けられるように構成される。
【００２６】
上記の技術的解決手段を採用すると、配線端子は信号を伝送するために用いられる。
【００２７】
光エネルギー式デジタル計器であって、円柱状の筐体を含み、前記筐体内に回路基板と、前記回路基板に電気的に接続された光エネルギーパネル、ディスプレイとが取り付けられ、前記ディスプレイ及び前記光エネルギーパネルは前記筐体の同一の側面に配置され、前記筐体の片側に前記光エネルギーパネルを嵌設する円形の第１窓部が開設され、前記光エネルギーパネルの中央の位置に前記ディスプレイを嵌設する第２窓部が開設され、前記光エネルギーパネルは前記ディスプレイを取り囲み、前記光エネルギーパネルはメッキ層と、ガラス層とを含み、前記筐体から検出用のプローブケーブルが引き出され、前記筐体に前記プローブケーブルを置くために検出ロッドが固定して接続される。
【００２８】
上記の技術的解決手段を採用すると、ディスプレイと光エネルギーパネルは筐体の同側に配置され、これにより筐体は光の照射を受けるとともに数値を読み取りやすく、またディスプレイは光エネルギーパネルの中央の位置に配置され、光エネルギーパネルによって取り囲まれるため、光エネルギーパネルには光源の照射を受けるのに十分な面積が保証され、光エネルギーパネルの受光面積の最大化が維持され、また筐体上の検出ロッドは筐体を支持する効果もあり、外部機器に固定して接続させる必要がなく、自由に配置でき、使用時の柔軟性が向上する。
【００２９】
本考案の１つの好ましい例において、さらに、前記検出ロッドは前記筐体に螺着され、前記検出ロッドは中空であるように構成される。
【００３０】
上記の技術的解決手段を採用すると、検出ロッドは筐体に螺着され、取り外しやすく、また検出ロッドはプローブケーブルを保護する効果もある。
【００３１】
本考案の１つの好ましい例において、さらに、前記検出ロッドは前記筐体にヒンジ接続され、前記検出ロッドは中空であるように構成される。
【００３２】
上記の技術的解決手段を採用すると、計器を使用するとき、光エネルギーパネルでは計器に給電するために光の照射を受ける必要があり、筐体は検出ロッドにヒンジ接続されるため、検出ロッドが固定されると、筐体を回転させて光エネルギーパネルの角度を調整することによって、最大限に光の照射を受けることができ、計器の柔軟性が向上し、また検出ロッドはプローブケーブルを保護する効果もある。
【００３３】
本考案の１つの好ましい例において、さらに、前記検出ロッドが前記筐体にヒンジ接続された位置に、前記プローブケーブルを保護するベローズが固定して接続されるように構成される。
【００３４】
上記の技術的解決手段を採用すると、筐体を回転させるとき、ベローズはプローブケーブルが過度に湾曲しないように保護し、これによってプローブケーブルの耐用寿命が延長される。
【考案の効果】
【００３５】
上述した内容から分かるように、本考案は少なくとも次のいくつかの有益な効果を有する。
１．ディスプレイ及び光エネルギーパネルは筐体の同一の側面に配置され、光エネルギーパネルは光源の方を向き、計器を反転させ、又は計器の他方の側面からディスプレイを見る必要がなく、数値を読み取りやすく、しかも数値を読み取るときは、光の照射が十分であるためディスプレイ上のデータが明瞭に見える。筐体に光エネルギーパネルを置くために第１窓部を１つ開設するだけでよいため、大規模な生産に適し、光エネルギーパネルの面積の最大化が可能であり、また大幅なコスト節約につながる。ディスプレイが光エネルギーパネルの中央の位置に配置されるため、ユーザーは最初にこれを見る。
２．取付け孔によって底板を外部機器に固定でき、これにより手での操作が不要になり、検出しやすくなる。
３．固定ボルトは構造がシンプルであり、入手しやすく、その取り外しが容易であり、筐体の取付けにも後期の計器の点検・保守にも有利である。
【図面の簡単な説明】
【００３６】
【図１】図１は、実施例１の全体構造の概略図である。
【図２】図２は、実施例１の分解構造の概略図である。
【図３】図３は、実施例２の全体構造の概略図である。
【図４】図４は、実施例３の全体構造の概略図である。
【図５】図５は、実施例３に係る検出ロッドの全体構造を示す概略図である。
【図６】図６は、実施例４の全体構造の概略図である。
【図７】図７は、実施例４に係るベローズの全体構造を示す概略図である。
【考案を実施するための形態】
【００３７】
次に、図面を参照して本考案を一層詳しく説明する。
【００３８】
（実施例１）
図１が参照されるとおり、本考案が開示する光エネルギー式デジタル計器において、光エネルギーは太陽エネルギー又は室内光であることが好ましく、四角形の底板１を含み、底板１の隅部に４つの取付け孔８が開設される。底板１の片側に、全体的に四角柱状となる筐体２が取り付けられる。筐体２の隅部に筐体２を底板１に固定する固定ボルト９が螺着される。筐体２と底板１との間に四角環状の防振パッド１０が設けられ、防振パッド１０はゴム製であり、防振パッド１０の隅部に固定ボルト９を挿し込む円柱状の固定孔が開設される。固定ボルト９は防振パッド１０を貫通し、固定孔と固定ボルト９は締まり嵌めされる。固定ボルト９の筐体２から遠く離れる端部は底板１の取付けに支障をきたさないように、底板１の筐体２と背反する面からはみ出さない。筐体２の一方の側縁に２つの円柱状の配線孔１３が開設され、配線孔１３内に信号を伝送する配線端子１４が取り付けられる。
【００３９】
図１、図２が参照されるとおり、筐体２の内部に回路基板３と、回路基板３に電気的に接続された光エネルギーパネル４、ディスプレイ５とが取り付けられる。筐体２の底板１から遠く離れる片側に、光エネルギーパネル４を展示する四角形の第１窓部６が開設される。第１窓部６の開口の大きさは筐体２の当該側面の大きさより小さく、第１窓部６の開口の周縁は筐体２の当該側面の縁部に密着する。第１窓部６と光エネルギーパネル４との間に筐体２と光エネルギーパネル４が接続した箇所のシール性を増すために第１シール部材１１が設けられ、第１シール部材１１は四角環状であり、シリカゲル材料からなる。光エネルギーパネル４の中央の位置にディスプレイ５を展示する第２窓部７が開設される。第２窓部７とディスプレイ５との間に光エネルギーパネル４とディスプレイ５が接続した箇所のシール性を増すために第２シール部材１２が設けられ、第２シール部材１２はシリカゲル材料からなる。
【００４０】
なお、光エネルギーパネル４はメッキ層と、ガラス層とを含み、第２窓部７はメッキ層だけに開設されるためガラス層の完全性が保たれる。また、ディスプレイ５上の数字位置に対応するメッキ層だけを除去して、表示される数字部分だけを露出させてもよい。第２窓部７では数字表示用以外に他の領域は短い線で接続させるが、他には生産プロセスの簡素化のために、導電性メッキ層からなる細線で接続させてもよい。また光エネルギーパネル４を最大限に利用して、光エネルギーパネル４の発電面積を最大にすることができる。他の光エネルギー式デジタル計器の市販品、例えば、シーカ社のＳｏｌａｒＴｅｍｐ８５０シリーズと比べて光エネルギーパネル４の受光面積が増える。光エネルギーパネル４の受光面積は筐体２の第２窓部７が開設される側面で第２窓部７以外の他の部分を占めており、光エネルギーパネル４とディスプレイ５が同側に配置される場合に光エネルギーパネル４の受光面積の最大化が維持される。
【００４１】
図２が参照されるとおり、光エネルギーパネル４及びディスプレイ５の片側はディスプレイ５及び光エネルギーパネル４を保護する透明な保護板１５に覆われ、透明な保護板１５は四角形である。ディスプレイ５上の温度計測単位は透明な保護板１５に又は光エネルギーパネル４のメッキ層から遠く離れる側に印刷されてもよく、且つ、閲読時の習慣に合わせるために、第２窓部７内に数字を液晶表示する片側に、一般に右側に配置される。また、温度計測単位の記号は光エネルギーパネル４において直接メッキ層に刻まれてもよい。
【００４２】
本実施例の実現原理は次のとおりである。ディスプレイ５と光エネルギーパネル４は底板１の同側に配置されるため、数値を読み取るとき、計器を反転させなくても、数値を見て読み取ることができる。また、計器を使用するとき、光エネルギーパネル４は光源が照射する方を向くため、数値を読み取るときに十分な光照射が維持され、ディスプレイ５上のデータが明瞭に見えて読み取りやすいだけでなく、給電もできる。ユーザーは光エネルギーパネル４の中央の位置に配置されるディスプレイ５を最初に見てしまう。光エネルギーパネル４はディスプレイ５を取り囲むため、光エネルギーパネル４の面積が最大になり、計器の表面の面積は十分に利用できる。生産プロセスにおいて、筐体２に光エネルギーパネル４を置くために四角形の第１窓部６を１つ開設するだけでよく、生産プロセスが簡素化され、大規模な生産に適し、原料を節約して、コストを削減できる。また、防振パッド１０は筐体２と底板１に生じる振動を緩衝し、固定ボルト９の緩みを避ける。また、固定ボルト９は防振パッド１０を貫通するため、固定ボルト９の安定性が一層向上し、計器全体の構造的安定性が保たれる。また、当該計器に透明な保護板１５が設けられるため、別途保護装置を取り付ける必要がない。
【００４３】
（実施例２）
図１及び図３が参照されるとおり、本考案が開示する光エネルギー式デジタル計器において、光エネルギーは太陽エネルギー又は室内光であることが好ましく、実施例１との相違点は、底板１の片側に光エネルギーパネル４を展示する四角形の第１窓部６が開設されることである。第１窓部６の開口の周縁は底板１の当該側面の縁部に近い。
【００４４】
第２窓部７は光エネルギーパネル４のメッキ層及びガラス層に開設され、ディスプレイ５はガラス層から露出しており、数値が一層明瞭に見える。
【００４５】
本実施例の実現原理は次のとおりである。第１窓部６は底板１に配置され、光エネルギーパネル４の受光面積が最大であることを前提に、数値が一層明瞭に見え、読み取りやすくなる。また計器を取り付けるときは、それを取り付ける位置の内壁に嵌まることで、取付け対象部位からはみ出さずに済み、作業スペースを節約できる。
【００４６】
（実施例３）
図４、図５が参照されるとおり、本考案が開示する光エネルギー式デジタル計器において、光エネルギーは太陽エネルギー又は室内光であることが好ましく、円柱状の筐体２を含み、筐体２の内部に回路基板３と、回路基板３に電気的に接続された光エネルギーパネル４、ディスプレイ５とが取り付けられる。筐体２の片側に光エネルギーパネル４を展示する円形の第１窓部６が開設される。第１窓部６の開口の周縁は筐体２の当該側面の縁部に近い。第１窓部６と光エネルギーパネル４との間に筐体２と光エネルギーパネル４が接続した箇所のシール性を増すために第１シール部材１１が設けられ（未図示）、第１シール部材は円環状であり、シリカゲル材料からなる。光エネルギーパネル４の中央の位置にディスプレイ５を展示する四角形の第２窓部７が開設される。第２窓部７とディスプレイ５との間に光エネルギーパネル４とディスプレイ５が接続した箇所のシール性を増すために第２シール部材１２が設けられ（未図示）、第２シール部材１２はシリカゲル材料からなる。
【００４７】
筐体２から検出用のプローブケーブルが引き出され、プローブケーブルの筐体２から遠く離れる端部に感温素子が設けられ、筐体２にプローブケーブルを置くために硬質の検出ロッド１６が螺着される。検出ロッド１６は中空管であり、筐体２から離れる方向に、外側に向かって直線状に延在する。
【００４８】
なお、光エネルギーパネル４はメッキ層と、ガラス層とを含み、第２窓部７はメッキ層だけに開設されるためガラス層の完全性が保たれる。また、ディスプレイ５上の数字位置に対応するメッキ層だけを除去して、表示される数字部分だけを露出させてもよい。第２窓部７では数字表示用以外に他の領域は短い線で接続させるが、他には生産プロセスの簡素化のために、導電性メッキ層からなる細線で接続させてもよい。また光エネルギーパネル４を最大限に利用して、光エネルギーパネル４の発電面積を最大にすることができる。他の光エネルギー式デジタル計器の市販品、例えば、シーカ社のＳｏｌａｒＴｅｍｐ８５０シリーズと比べて光エネルギーパネル４の受光面積が増える。光エネルギーパネル４の受光面積は筐体２の第２窓部７が開設される側面で第２窓部７以外の他の部分を占めており、光エネルギーパネル４とディスプレイ５が同側に配置される場合に光エネルギーパネル４の受光面積の最大化が維持される。
【００４９】
光エネルギーパネル４及びディスプレイ５の片側はディスプレイ５及び光エネルギーパネル４を保護する透明な保護板１５に覆われ、透明な保護板１５は四角形である。ディスプレイ５上の温度計測単位は透明な保護板１５に又は光エネルギーパネル４のメッキ層から遠く離れる側に印刷されてもよく、且つ、閲読時の習慣に合わせるために、第２窓部７内に数字を液晶表示する片側に、一般に右側に配置される。また、温度計測単位の記号は光エネルギーパネル４において直接メッキ層に刻まれてもよい。
【００５０】
本実施例の実現原理は次のとおりである。ディスプレイ５と光エネルギーパネル４は底板１の同側に配置されるため、数値を読み取るとき、計器を反転させなくても、数値を見て読み取ることができる。また、計器を使用するとき、光エネルギーパネル４は光源が照射する方を向くため、数値を読み取るときに十分な光照射が維持され、ディスプレイ５上のデータが明瞭に見えて読み取りやすいだけでなく、給電もできる。ユーザーは光エネルギーパネル４の中央の位置に配置されるディスプレイ５を最初に見てしまう。光エネルギーパネル４はディスプレイ５を取り囲むため、光エネルギーパネル４の面積が最大になり、計器の表面の面積は十分に利用できる。生産プロセスにおいて、筐体２に光エネルギーパネル４を置くために四角形の第１窓部６を１つ開設するだけでよく、生産プロセスが簡素化され、大規模な生産に適し、原料を節約して、コストを削減できる。また、防振パッド１０は筐体２と底板１に生じる振動を緩衝し、固定ボルト９の緩みを避ける。また、固定ボルト９は防振パッド１０を貫通するため、固定ボルト９の安定性が一層向上し、計器全体の構造的安定性が保たれる。また、当該計器に透明な保護板１５が設けられるため、別途保護装置を取り付ける必要がない。また、筐体２上の検出ロッド１６は筐体２を支持する効果もあり、外部機器に固定して接続させる必要がなく、自由に配置でき、使用時の柔軟性が向上する。検出ロッド１６は筐体２に螺着され、取り外しが容易であり、また硬質の検出ロッド１６はプローブケーブルを保護する効果もある。
【００５１】
（実施例４）
図６、図７が参照されるとおり、本考案が開示する光エネルギー式デジタル計器において、光エネルギーは太陽エネルギー又は室内光であることが好ましく、実施例３との相違点は、検出ロッド１６が筐体２にヒンジ接続され、検出ロッド１６が筐体２にヒンジ接続された位置にプローブケーブルを保護するベローズ１７が取り付けられることである。検出ロッド１６の側壁に円柱状の取付けディスクが溶接される。
【００５２】
本実施例の実現原理は次のとおりである。光エネルギーパネル４の受光面積が最大であることを前提に、取付けディスクによって検出ロッド１６を外部機器に固定し、筐体２の角度を調整することにより、光エネルギーパネル４が最大限に光の照射を受けるために、光の照射方向に従って光エネルギーパネル４を調整できる。筐体２が調整可能に構成されることにより、計器の柔軟性が向上し、数値を読み取りやすくもなる。検出ロッド１６はプローブケーブルを保護する効果を果たす。また、筐体２が回転するとき、ベローズ１７はプローブケーブルが過度に湾曲しないように保護し、これによってプローブケーブルの耐用寿命が延長される。
【００５３】
上記の特定の実施形態に係る実施例はいずれも本考案の好ましい実施例であり、これをもって本考案の保護範囲が限定されるものではない。しがたって、本考案の構造、形状、原理に基づいて行われる等価な変更は、いずれも本考案の保護範囲に含まれる。
【符号の説明】
【００５４】
１...底板、２...筐体、３...回路基板、４...光エネルギーパネル、５...ディスプレイ、６...第１窓部、７...第２窓部、８...取付け孔、９...固定ボルト、１０...防振パッド、１１...第１シール部材、１２...第２シール部材、１３...配線孔、１４...配線端子、１５...透明な保護板、１６...検出ロッド。
【図１】
0003228077.tif 000003
【図２】
0003228077.tif 000004
【図３】
0003228077.tif 000005
【図４】
0003228077.tif 000006
【図５】
0003228077.tif 000007
【図６】
0003228077.tif 000008
【図７】
0003228077.tif 000009